(57)【要約】【課題】  ユーザーによって保存しておくべき電子データのみを、別途記憶媒体を用意することなく、容易に同一ネットワーク上に接続された別の記憶媒体に保存し、且つ、バックアップされた電子データの可視性を向上させることである。【解決手段】  オフィス内のネットワークに接続された、別の複写機のＨＤＤに、指定したＢＯＸデータ及び、スキャンデータのバックバックアップを自動で行う事で、コストアップ無しに、必要なユーザーデータのバックアップをする。さらに、バックアップを行うＢＯＸ構成をユーザーからは同じ構成に見えるようにし、ファイル、ＢＯＸを指定することで必要なデータのみバックアップを行う。【選択図】  図２
2008054109.tif 000002
【特許請求の範囲】
【請求項１】
紙媒体を読み取り、電子データに変換するスキャン部を持ち、前記電子データを保存する記憶媒体を持ち、前記電子データをバックアップするか否かの判断情報を表示する表示部を持ち、前記電子データをバックアップするバックアップ先の画像形成装置を登録する保存先機器登録部 を持ち、バックアップ選択時には前期電子データを前記バックアップ先の画像形成装置に対して電子データを送信する送信部を持つことで、電子データを同じネットワーク上の別画像形成装置の記憶媒体に保存することを特徴とする画像形成装置。
【請求項２】
請求項１において、前記バックアップ先の画像形成装置は、同一ネットワーク上から電子データをバックアップする元の画像形成装置を登録する保存元機器登録部を持ち、前記電子データを受信するデータ受信部を持ち、受信した電子データをユーザー固有の記憶領域に保存する記憶媒体を持ち、バックアップ元の画像形成装置内の電子データ保存構成と同じ構成を取るデータ保存管理部を持ち、定期的又はユーザーによって選択された場合にバックアップ元の電子データを前記記憶媒体に保存することを特徴とする画像形成装置。
【請求項３】
請求項１において、前記電子データは、紙媒体を読み取り電子データに変換する際に、その電子データに対して画像形成装置内の記憶媒体に保存するか否かをユーザーに問い合わせると共に、前記電子データを同一ネットワーク上に接続されている他の画像形成装置にバックアップを行うか否かをユーザーに対して問い合わせることを特徴とした画像形成装置。
【請求項４】
請求項２において、前記バックアップ先の電子データの保存構成内に、前記バックアップ元の電子データを新たにバックアップする際に、同じ電子データ名が存在した場合には、そのバックアップ元の画像形成装置が判別できる形式でバックアップ先の電子データを保存することで、同じ電子データ名であっても、バックアップ先で判断がつくことを特徴とした画像形成装置。
【請求項５】
請求項１において、前記電子データをバックアップする対象が、前記画像形成装置内の記憶媒体内の電子データ、または、紙媒体を読みこんで変換した電子データであることを特徴とする画像形成装置。
【請求項６】
請求項１において、前記電子データをバックアップする際には、必ずユーザーインターフェースを介して、ユーザーにバックアップするか否かを選択するように通知し、ユーザーにバックアップを行うことを明示的に知らせることを特徴とした画像形成装置。
【請求項７】
請求項４において、紙媒体を読み取り電子データに変換した際に、前記電子データをその画像形成装置内の記憶媒体に記憶しても良いし、前記記憶媒体内に記憶しないでプリント出力することも可能で、且つ、バックアップのみ他の画像形成装置を用いて行うことも可能とする画像形成装置。
【発明の詳細な説明】
【技術分野】
【０００１】
本発明は、保存された電子データのセキュリティーを向上するために、各ネットワーク上の画像形成装置に対してバックアップを行い、電子データを管理する方法、及びその装置に関するものである。
【背景技術】
【０００２】
従来、紙媒体を電子データとして保存するためには、紙媒体の情報を複写機などの画像形成装置にてスキャンし、電子データに変換した後、前記電子データを前記画像形成装置内のHDDなどの記憶媒体に保存するか、又は、ネットワーク上に接続された他の画像形成装置、PC、サーバーなどに送信し、他の画像形成装置内に組み込まれた記憶媒体かPC内の記憶媒体、又はサーバーに保存する方法がある。
【０００３】
各画像形成装置内に保存された電子データを別の記憶媒体にバックアップする為には、前記電子データをユーザーが選択し、ネットワーク上に接続されている別画像形成装置又はサーバー、PCへ電子データを送信することで実現できる。
【０００４】
さらに、前記保存された電子データをバックアップする方法としては、２個の同じ記憶媒体に電子データを保存するミラーリングや、サーバーとPC内の記憶媒体のように別々の記憶媒体に同じ電子データを保存しておくものがある。
【０００５】
例えば、複合機内のHDDの記憶媒体に電子データを保存する場合には、ネットワークを介して受信した電子データ又は、複合機にてスキャンし電子データに変換したデータを、複合機内の1個の記憶媒体（HDD等）に保存するか、ミラーリングとして2個の同じ記憶媒体に同じデータを保存する方法がある。
【０００６】
ただし、バックアップとして記憶する電子データは、予め決められた領域の電子データを全て別のバックアップ用に用意された記憶媒体内の別領域内に定期的に保存される。すなわち、バックアップ用の記憶媒体内には、バックアップ元の電子データ用の領域を確保し、その領域にバックアップ元のデータを同じデータ構成でコピーする。
【０００７】
また、バックアップ元の画像形成装置から、バックアップ先の記憶媒体内バックアップ領域の電子データを直接取り出すことはできない。さらに、バックアップ先の画像形成装置から直接前記バックアップ領域のデータにアクセスすることもできない。
【０００８】
従来例としては、例えば特許文献１と特許文献２をあげることが出来る。
【特許文献１】特開平10-308840号公報
【特許文献２】特開2001-027963号公報
【発明の開示】
【発明が解決しようとする課題】
【０００９】
電子データをバックアップする場合、前記ミラーリングによるＨＤＤなどの記憶媒体の設置、データ保存用サーバーを用意するなど別途コストがかかる問題がある。
【００１０】
バックアップ用の記憶媒体は、バックアップ元の全ての電子データをそのまま同じ構成でコピーするため、記憶媒体内にバックアップ用の領域を別途確保しなければならない。そのため、バックアップの為に、画像形成装置それぞれに対してバックアップ領域を確保しなければならず、バックアップのための記憶容量が増大してしまう。
【００１１】
ユーザーは、バックアップされた電子データをバックアップ元の画像形成装置から直接アクセスして見ることはできず、且つ、バックアップ先の画像形成装置からもバックアップ領域を直接アクセスして電子データを見ることができない。そのため、ユーザーにとっては、バックアップ元の画像形成装置からバックアップしたユーザー自身の電子データに容易にアクセスすることができず、バックアップデータのハンドリングを困難にしている。
【００１２】
また、同一ネットワーク上に接続されている別の画像形成装置内に前記画像形成装置で保存した電子データをバックアップの為に使用する場合にも、ユーザーはバックアップを行う電子データを選択し、電子データをバックアップ先の画像形成装置に対して格納先を選定し、その都度、送信しなければならない。
【００１３】
さらに、ユーザーによっては、画像形成装置内の記憶媒体に保存した電子データ、もしくは、画像形成装置にてスキャンした電子データをバックアップする必要がないと判断し、バックアップを拒否する場合がある。セキュリティー上、データの漏洩を防ぐために、特定の電子データに対しては、バックアップを別の記憶媒体に保存することを禁止する場合、従来のような全ての電子データを自動バックアップする方法では対応できない。
【００１４】
これらの問題点を踏まえて、本発明により解決しようとしている点は、ユーザーによって保存しておくべき電子データのみを、別途記憶媒体を用意することなく、容易に同一ネットワーク上に接続された別の記憶媒体に保存し、且つ、バックアップされた電子データの可視性を向上させることである。
【課題を解決するための手段】
【００１５】
前記目的を達成するため、本発明は、画像形成装置１において紙媒体をスキャナーユニットでスキャンしたあとの電子データを前記画像形成装置１内のHDD等の記憶媒体１に保存し、且つ、バックアップ用に指定した同一ネットワーク上に接続された別の画像形成装置２にて、前記スキャンした電子データを画像形成装置２内部の記憶媒体２に保存する。
【００１６】
ここで、画像形成装置１は、内部にHDD等の記憶媒体を持ち、且つ、記憶媒体内の電子データの格納場所、電子データ情報をユーザーインターフェース（UI）上から選択することができる。UI上では、前記電子データを操作するのに、ファイル管理を可能としたディレクトリ構成を取ったファイル管理機能を持ち、ユーザーごとの格納場所も用意する。
【００１７】
ここで、ユーザーごとのユニークな格納場所をBOXとする。
【００１８】
画像形成装置１は、ユーザーによって所定の格納場所であるBOX内に保存された電子データをバックアップ用の画像形成装置２に対して、ファイル管理構成を同じ形式にして保存する保存指定部を持つ。前記保存指定部によって、画像形成装置１内に保存されたファイル構成と同じ構成で、画像形成装置２に電子データがバックアップされる。
【００１９】
また、画像形成装置１は、電子データバックアップ用の画像形成装置の機器登録部を持ち、前記機器登録部にて、バックアップ用の画像形成装置２の機器情報が登録される。画像形成装置１はバックアップ先として前記登録された画像形成装置に対して、バックアップデータを送信する。
【００２０】
画像形成装置２は、前記画像形成装置１からのバックアップの電子データを受信し、それの受信データを内部記憶媒体にバックアップを行う機能を持つ。画像形成装置２内には前記BOXとして各電子データを格納し、UI上から操作することを可能とする。
【００２１】
画像形成装置２は、画像形成装置１よりバックアップ指定されてきた電子データに対して、画像形成装置２内の記憶媒体内に同じBOX名である場合、そのBOX内に電子データを格納する。すなわち、バックアップを行う際は、同じBOX同士で電子データのバックアップを行う。この時、前記BOX内に、前記画像形成装置１からのバックアップの電子データ名（ファイル名）と同じ電子データ名がある場合、バックアップ元である画像形成装置１であることが判断できるファイル名に変更を行った後、電子データを格納する。例えば、電子データ名の先頭に画像形成装置１の機器名を付加した形で、電子データを格納する。これによって、同じ電子データ名のものが同じBOX内に格納される場合でも、バックアップ元が判別することができる。画像形成装置２から、ユーザーはUIを介して前記BOX内のデータを選択、操作することを可能とする。
【００２２】
BOX内で同じ電子データ名があった場合には、バックアップ元を判別できるよう格納することで、画像形成装置２からも同じBOX内に電子データを格納した場合にも、バックアップ元の電子データか、画像形成装置２からの電子データかの判別をすることができる。
【００２３】
また、画像形成装置２は、電子データバックアップ元の画像形成装置の機器登録部を持ち、前記機器登録部にて、バックアップ元の画像形成装置１の機器情報が登録される。画像形成装置２はバックアップ元として前記登録された画像形成装置に対して、バックアップを行う。
【００２４】
次に、画像形成装置１、及び画像形成装置２のバックアップに関する設定フローについて説明する。
【００２５】
第一に、画像形成装置１は、バックアップ先となる画像形成装置２を判別するための機器登録を前記機器登録部に登録する。登録するには、UIを介して機器情報を登録することも可能である。画像形成装置１は、機器登録が完了した場合には、ユーザーに対して、バックアップ機器の登録設定完了の通知を行う。
【００２６】
同様に、画像形成装置２に、バックアップ元を判別するためのバックアップ元機器登録を前記機器登録部にて登録する。画像形成装置２は、バックアップ元機器登録が完了した場合には、ユーザーに対して、登録完了の通知を行う。
【００２７】
第二に、画像形成装置１にて、電子データをバックアップ実行する。バックアップの実行には、定期的に画像形成装置１内のBOXデータをバックアップする場合や、紙媒体をスキャンした電子データに対して、画像形成装置１内のBOXへ格納すると共に、画像形成装置２内のBOXへバックアップする場合が存在する。
【００２８】
第三に、画像形成装置１は、バックアップ実行が行われた場合には、前記機器登録部にて登録された画像形成装置２に対してバックアップデータを送信する。バックアップ実行が終了するまで、バックアップデータの送信を繰り返し行う。
【００２９】
第四に、画像形成装置２は、前記画像形成装置１より受信したバックアップ用の電子データを画像形成装置２内のBOXに格納する。ここで、受信した電子データの格納先のBOX情報を見て、画像形成装置２は同じBOX名に前記電子データを格納することで、バックアップ動作を終了する。
【００３０】
次に、紙媒体をスキャンした電子データに対するバックアップ制御について説明する。
【００３１】
第一に、紙媒体をスキャンして電子データとした場合、画像形成装置１は、UIを介して、前記電子データを画像形成装置１内のBOXに格納するか、同一ネットワーク上の別デバイスに前記電子データを送信するかを問い合わせる。
【００３２】
第二に、前記電子データをBOX内に格納する場合には、画像形成装置１内のユーザーによって指定されたBOXへ電子データを格納すると共に、ユーザーに対してUIを介して、この電子データをバックアップするか否か問い合わせる。
【００３３】
第三に、ユーザーが前記電子データをバックアップすると選択した場合には、画像形成装置１は、前記バックアップ先として登録した画像形成装置２に電子データを送信する。画像形成装置２は前述したように、電子データを同じBOX内にバックアップする。すなわち、スキャン動作と共に、同じ電子データを画像形成装置１内のBOXとバックアップとして画像形成装置２のBOXに格納する。
【００３４】
第四に、ユーザーが前記電子データをバックアップしないと選択した場合には、画像形成装置１は、前記電子データを画像形成装置１内のBOXのみに格納し、バックアップは行わない。
【００３５】
これによって、ユーザーがバックアップするスキャンした電子データを任意に選択することができる。
【００３６】
バックアップ先の画像形成装置２においても、同じBOX内のデータとしてバックアップデータを共有でき、ユーザーから容易にバックアップデータへのアクセスが可能となる。
【発明の効果】
【００３７】
本発明のように、電子データを同じネットワーク上の別の画像形成装置にバックアップし、同じ記憶媒体を有用することで、別のバックアップ用のコストをかけなくても容易に電子データのバックアップが実行できる。
【００３８】
バックアップを行うファイル形式も、記憶媒体内の同じ記憶領域に同じファイル、ディレクトリ形式で保存することで、バックアップ用に別領域を作成することなく、バックアップ先の画像形成装置からでもバックアップデータを取得することができる。ユーザーにとっては、バックアップ用の領域に全ての電子データをそのままバックアップするのではなく、必要なファイルをバックアップ元、バックアップ先間で共有することで、どちらの画像形成装置からも容易に閲覧でき、必要なファイルのみをバックアップすることができる。
【００３９】
ユーザーにとっては、全てをバックアップする必要もなく、逆にセキュリティー面から、バックアップを取りたくないファイルも存在する。そのような電子データに対しては、ユーザーが画像形成装置に対してバックアップ指定を行うことで容易にバックアップ禁止を指定することができる。
【００４０】
さらに紙媒体をスキャンした際に、スキャンした電子データを画像形成装置内の記憶媒体に保存すると同時に、ユーザーがバックアップ指定することで前記電子データを別の画像形成装置にバックアップすることが可能となる。これにより、全ての電子データを自動バックアップするのではなく、ユーザーによって自由にバックアップデータを選択することが可能となる。
【発明を実施するための最良の形態】
【００４１】
（実施例１）
以下添付図面を参照して、本発明に係る好適な実施例を説明する。
【００４２】
本実施例を適用するのに好適なバックアップ制御を行う画像形成装置の代表的な利用例を図１、図２に示す。
【００４３】
まず、同じネットワークLAN 2011上に接続された画像形成装置220上で、ユーザーが紙媒体を読み取るためにスキャンを実行し、電子データとして画像形成装置220内の記憶媒体2004に保持する。前記画像形成装置220は、デジタル複写機などの画像形成装置であり、内部に電子データ保存用のHDD等の記憶媒体2004を持ち、主に画像の入出力機能を有する。
【００４４】
前記画像形成装置220は、前記電子データに対して、ユーザーが画像形成装置220内の記憶媒体とは別にバックアップを行いたい場合には、ユーザーが選択したバックアップ用の画像形成装置221に対して前記電子データのバックアップ動作を行う。
【００４５】
まず、ユーザーは、画像形成装置220の電子データに対してバックアップを行うバックアップ機器として画像形成装置221の登録を画像形成装置220に対して行う。バックアップ機器として設定された画像形成装置221は、画像形成装置220からのバックアップ要求及びバックアップを行う電子データを定期的又はユーザーからのバックアップ要求ごとに受信する。
【００４６】
次に、ユーザーは、画像形成装置220を用いて、紙媒体を読み込み電子データに変換、もしくは画像形成装置220内の記憶媒体内の電子データを選択する。
【００４７】
次に、画像形成装置は、ユーザーによって電子データが選択された場合には、ユーザーインターフェース（操作部）よりバックアップを行うか否かの通知を行う。
【００４８】
次に、ユーザーがバックアップ要求をユーザーインターフェース上から選択した場合、画像形成装置220は、画像形成装置221に対して、前記電子データをネットワークLAN2011を介して転送する。
【００４９】
次に、画像形成装置221は、前記電子データを受け取り、その電子データを画像形成装置220と同じユーザー別の特定ディレクトリ（BOX）に保存する。その際、同じ電子データ（ファイル名）がそのディレクトリに存在した場合には、バックアップ元である画像形成装置220が判別できる形のファイル名に変更して、保存を行う。
【００５０】
以下、本実施例での詳細なシステム形態を説明する。
【００５１】
＜本実施例でのシステム形態の説明＞
図３は、本実施例の形態によって構成したネットワークシステムである。
【００５２】
図３中の200はインターネット通信網である。201はウェブサーバであり、インターネット200上に接続され、インターネットユーザーに特定のサービスを提供する。202は金融機関と消費者クライアントの間の決済処理などを行う電子マネーサーバである。204は個人ユーザーの端末とインターネット200との接続処理を行うサービスプロバイダである。203はファイアーウォールであり、これにより下に図示したLAN 2011内部と外部通信網（インターネット200）とを接続し、セキュリティー管理などを行う。210はLAN 2011で接続された211〜214、220の各機器管理サーバーである。211はファイルサーバであり、LAN 2011で接続された複数のユーザーがデータを共有することができる。
【００５３】
画像形成装置220において、140はユーザーが各種の操作を行うための操作部、10は操作部140やPC 212、213からの指示にしたがって画像を読み取るためのイメージスキャナ、20はPC 212、213やファイルサーバ211からのデータを用紙に印刷するプリンタである。
【００５４】
30はコントローラユニットであり、操作部140やLAN  2011、MODEM 2050を介してのデータ、PC 212、213からの指示に基づいてスキャナ10、プリンタ20に対する画像データの入出力の制御を行う。例えば、LAN 2011経由でネットワーク上のコマンドデータを受信し、スキャナ10が取り込んだ画像データをコントローラ内部のメモリに蓄積したり、パソコン212、213に出力したり、あるいはプリンタ20で印刷するなどの制御を行う。
【００５５】
214はプリンタであり、パソコン212、213やファイルサーバ211からの画像データを記録媒体上に出力することができる。212、213は端末装置として接続されたパソコンである。インターネット200を介してウェブサーバ201から提供された情報を閲覧したり、画像データを画像形成装置220やプリンタ214に出力したりすることができる。
【００５６】
なお、上記構成はインターネットにファイアーウォール203を介してLAN 2011が接続されている構成となっているが、サービスプロバイダ204を介してファイアーウォール203が接続される構成でもかまわない。
【００５７】
＜画像形成装置220、221の構成説明＞
本発明の画像形成装置220、221の外観を図４に示す。
【００５８】
画像入力デバイスであるスキャナ部10は、原稿画像をランプにより照射し、CCDラインセンサ(図示せず)で読み取り、電気信号に変換することで画像データとして処理を行なう。原稿用紙を原稿フィーダ142にセットし、装置使用者が操作部140から読み取り起動指示することにより、フィーダ2072は原稿用紙を1枚ずつフィードし原稿画像の読み取り動作を行う。
【００５９】
画像出力デバイスであるプリンタ部20は、画像データを用紙上の画像に変換する部分であり、本特許の明細書では、感光体ドラムや感光体ベルトを用いた電子写真方式により説明を行うが、微少ノズルアレイからインクを吐出して用紙上に直接画像を印字するインクジェット方式等であっても構わない。プリント動作の起動は、装置内部のコントローラ（後述）からの指示によって開始する。プリンタ部20には、異なる用紙サイズまたは異なる用紙向きを選択できるように複数の給紙段を持ち、それに対応した用紙カセット2101、2102、2103、2104がある。また、画像形成された用紙は排紙トレイ132上に排出される。
【００６０】
図５は本発明の画像形成装置220、221の構成を説明する断面図である。図面を用いて動作の詳細を説明する。
【００６１】
101は原稿台ガラスであり、原稿自動送り装置142から給送された原稿が順次、所定位置に載置される。102は例えばハロゲンランプから構成される原稿照明ランプで、原稿台ガラス101に載置された原稿を露光する。103、104、105は走査ミラーであり、図示しない光学走査ユニットに収容され、往復動しながら、原稿からの反射光をＣＣＤユニット106に導く。ＣＣＤユニット106はＣＣＤに原稿からの反射光を結像させる結像レンズ107、例えばＣＣＤから構成される撮像素子108、撮像素子108を駆動するＣＣＤドライバ109等から構成されている。撮像素子108からの画像信号出力は例えば８ビットのデジタルデータに変換された後、コントローラ部30に入力される。
【００６２】
また、110は感光ドラムであり、112の前露光ランプによって画像形成に備えて除電される。113は１次帯電器であり、感光ドラム110を一様に帯電させる。117は露光手段であり、例えば半導体レーザー等で構成され、画像形成や装置全体の制御を行うコントローラ部30で処理された画像データに基づいて感光ドラム110を露光し、静電潜像を形成する。118は現像器であり、黒色の現像剤（トナー）が収容されている。119は転写前帯電器であり、感光ドラム110上に現像されたトナー像を用紙に転写する前に高圧をかける。120、122、124、142、144は給紙ユニットであり（120は手差し給紙ユニット）、各給紙ローラ121、123、125、143、145の駆動により、転写用紙が装置内へ給送され、レジストローラ126の配設位置で一旦停止し、感光ドラム110に形成された画像との書き出しタイミングがとられ再給送される。127は転写帯電器であり、感光ドラム110に現像されたトナー像を給送される転写用紙に転写する。128は分離帯電器であり、転写動作の終了した転写用紙を感光ドラム110より分離する。転写されずに感光ドラム110上に残ったトナーはクリーナー111によって回収される。129は搬送ベルトで、転写プロセスの終了した転写用紙を定着器130に搬送し、例えば熱により定着される。131はフラッパであり、定着プロセスの終了した転写用紙の搬送パスを、ソーター132または中間トレイ137の配置方向のいずれかに制御する。また、133〜136は給送ローラであり、一度定着プロセスの終了した転写用紙を中間トレイ137に反転（多重）または非反転（両面）して給送する。138は再給送ローラであり、中間トレイ137に載置された転写用紙を再度、レジストローラ126の配設位置まで搬送する。
【００６３】
コントローラユニット 30についての詳細は、後述する。主にCPU 2001、スキャナ画像処理部2080、プリンタ画像処理部2090、バックアップ制御部2009、記憶媒体であるHDD 2004などを備えており、前述の画像形成動作の制御を行う。
【００６４】
＜画像形成装置220、221のスキャナ、プリンタ部説明＞
図６は、画像形成装置220、221におけるスキャナ10、プリンタ20の構成を示すブロック図である。
【００６５】
751はスキャナ10全体の制御を行うCPUであり、制御プログラムを記憶した読み取り専用メモリ753（ROM）からプログラムを順次読み取り、実行する。CPUのアドレスバス、データバスはバスドライバ、アドレスデコーダ752からなる回路を介して各負荷に接続されている。また、コントローラユニット30のCPU 2001と接続され、通信を行う。
【００６６】
754は、入力データの記憶や作業用記憶領域等として用いる主記憶装置としてのランダムアクセスメモリ(RAM)である。755はI/Oインターフェースであり、給紙系、搬送系、光学系の駆動を行うモーター類756、ランプ類757、また、搬送される用紙を検知する紙検知センサ類758等の装置の各負荷に接続される。
【００６７】
また、CCDユニット106により読み込まれた画像データは、コントローラユニット30に転送される。
【００６８】
次に、701はプリンタ20の制御を行うCPUであり、制御手順（制御プログラム）を記憶した読み取り専用メモリ703（ＲＯＭ）からプログラムを順次読み取り、実行する。CPU701のアドレスバスおよびデータバスは702のバスドライバー回路、アドレスデコーダ回路をへて各負荷に接続されている。また、704は入力データの記憶や作業用記憶領域等として用いる主記憶装置であるところのランダムアクセスメモリ（ＲＡＭ）である。705はＩ／Ｏインターフェースであり、給紙系、搬送系、光学系の駆動を行うモーター類707、クラッチ類708、ソレノイド類709、また、搬送される用紙を検知するための紙検知センサ類710等の装置の各負荷に接続される。現像器118には現像器内のトナー量を検知する711のトナー残検センサが配置されており、その出力信号がＩ／Ｏポート705に入力される。715は高圧ユニットであり、CPU701の指示に従って、前述の１次帯電器113、現像器118、転写前帯電器119、転写帯電器127、分離帯電器128へ高圧を出力する。
【００６９】
ＣＣＤユニット106から出力された画像信号はコントローラユニット30により、後述する画像処理を行い、画像データに従って117のレーザーユニットの制御信号を出力する。レーザーユニット117から出力されるレーザー光は感光ドラム110を照射し、露光するとともに非画像領域において受光センサであるところの713のビーム検知センサによって発光状態が検知され、その出力信号がＩ／Ｏポート705に入力される。
【００７０】
＜画像形成装置220、221のコントローラユニット説明＞
コントローラユニット30の構成図を図７に示す。コントローラユニット30は画像入力デバイスであるスキャナ10や画像出力デバイスであるプリンタ20と接続され、一方ではLAN 2011や公衆回線(WAN)2051のネットワークと接続することで、ユーザーデータ情報の入出力、及び制御を行う。
【００７１】
CPU 2001は、システム全体を制御するコントローラである。RAM 2002はCPU 2001が動作するためのシステムワークメモリであり、画像データを一時記憶するための画像メモリでもあり、HDD 2004へ書き込みアクセスした際のアクセス記録を保持するためのメモリでもある。ROM 2003はブートROMであり、システムのブートプログラム及び前記ライセンス情報が格納されている。
【００７２】
HDD 2004は記憶媒体で、ハードディスクドライブを表す。HDD 2004内に、バックアップ用の電子データ、スキャナ１０でスキャンした画像データ、システムソフトウェア、画像データ、ソフトウェアカウンタ値などを格納する。HDD2004は、ユーザーがデータを格納する記憶媒体として使用することが可能であり、着脱可能なものである。
【００７３】
操作部I/F 2006は操作部140とのインターフェースを行い、操作部140に表示する画像データを操作部140に対して出力する。また、操作部140から本システム使用者が入力した情報を、CPU 2001に伝える役割をする。Network 2010はLAN 2011に接続し、情報の入出力を行う。Modem 2050は公衆回線2051に接続し、情報の入出力を行う。
【００７４】
バックアップ制御部2009は、画像形成装置がバックアップを行う元である場合には、予めバックアップ先としてユーザーに登録された画像形成装置に対して、バックアップを行う対象の電子データをNETWORK2010を介して送信する。バックアップ先の画像形成装置の登録は、バックアップ機器登録部2100にて行われる。バックアップ制御部2009は、スキャンした画像データやHDD2004内に保存された電子データに対して、ユーザーに対してバックアップを行うか否かを操作部140のユーザーインターフェースを介して選択を求める。ユーザーが、操作部140を介して前記電子データをバックアップすることを選択した場合、バックアップ制御部2009は、HDD2004内に前記電子データを保存すると共に、前記バックアップ先として登録された画像形成装置に電子データを送信する。
【００７５】
バックアップ制御部2009は、画像形成装置がバックアップ先である場合には、バックアップ元の画像形成装置から受信した電子データが、バックアップを行う電子データであるか否かを判断し、バックアップ用の電子データである場合にはHDD 2004に対して前記電子データを保存する。保存する電子データの形態については、後述する。
【００７６】
スキャナ、プリンタ通信I/F 2005は、スキャナ10、プリンタ20のCPUとそれぞれ通信を行うためのI/Fである。以上のデバイスがシステムバス2007上に配置される。
【００７７】
Image Bus I/F2005はシステムバス2007と画像データを高速で転送する画像バス2008を接続し、データ構造を変換するバスブリッジである。画像バス2008は、PCIバスまたはIEEE1394で構成される。画像バス2008上には以下のデバイスが配置される。ラスターイメージプロセッサ(RIP)2060はPDLコードをビットマップイメージに展開する。デバイスI/F部2020は、画像入出力デバイスであるスキャナ10やプリンタ20とコントローラユニット30を接続し、画像データのバスアクセスシーケンスを制御し同期系/非同期系の変換を行う。
【００７８】
スキャナ画像処理部2080は、入力画像データに対し補正、加工、編集を行う。プリンタ画像処理部は、プリント出力画像データに対して、プリンタの補正、解像度変換等を行う。画像回転部2030は画像データの回転を行う。画像圧縮部2040は、多値画像データはJPEG、2値画像画像データはJBIG、MMR、MHの圧縮伸張処理を行う。
【００７９】
図８はスキャナ画像処理部2080の構成を示す。画像バスI/Fコントローラ2081は、画像バス2008と接続し、そのバスアクセスシーケンスを制御する働きと、スキャナ画像処理部2080内の各デバイスの制御及びタイミングを発生させる。フィルタ処理部2082は、空間フィルタでコンボリューション演算を行う。編集部2083は、例えば入力画像データからマーカーペンで囲まれた閉領域を認識して、その閉領域内の画像データに対して、影つけ、網掛け、ネガポジ反転等の画像加工処理を行う。変倍処理部2084は、読み取り画像の解像度を変える場合にラスターイメージの主走査方向について補間演算を行い拡大、縮小を行う。副走査方向の変倍については、画像読み取りラインセンサ(図示せず)を走査する速度を変えることで行う。テーブル2085は、読み取った輝度データである画像データを濃度データに変換するために、行うテーブル変換である。2値化2086は、多値のグレースケール画像データを、誤差拡散処理やスクリーン処理によって2値化する。
処理が終了した画像データは、再び画像バスコントローラ2081を介して、画像バス上に転送される。
【００８０】
プリンタ画像処理部2090の構成を図９に示す。画像バスI/Fコントローラ2091は、画像バス2008と接続し、そのバスアクセスシーケンスを制御する働きと、スキャナ画像処理部2090内の各デバイスの制御及びタイミングを発生させる。解像度変換部2092は、Network2011あるいは公衆回線2051から来た画像データを、プリンタ20の解像度に変換するための解像度変換を行う。スムージング処理部2093は、解像度変換後の画像データのジャギー(斜め線等の白黒境界部に現れる画像のがさつき)を滑らかにする処理を行う。
【００８１】
＜画像形成装置221、222の操作部説明＞
操作部140の構成を図１０に示す。LCD表示部1032は、LCD上にタッチパネルシートが貼られており、システムの操作画面を表示するとともに、表示してあるキーが押されるとその位置情報をコントローラユニット30に伝える。テンキー1028はコピー枚数、認証用のパスワードなどの数字入力時に使用する。スタートキー1029は原稿画像の読み取り動作を開始する時などに用いる。ストップキー1030は稼働中の動作を止めるときに使用する。リセットキー1031は操作部からの設定を初期化する時に用いる。
【００８２】
1023は電子データのバックアップ先の登録キーである。同一ネットワーク上に接続されたバックアップ先の画像形成装置の登録番号を登録するためのキーである。ユーザーは、予め、登録キー1023を選択することで、バックアップ先の画像形成装置の登録番号を登録する。
【００８３】
1024はコピーモードキーであり、複写を行うときに押す。1025はファクスキーであり、ファクスに関する設定を行うときに押す。1026はファイルキーであり、画像形成装置221、222内の記憶媒体に保存されているファイルデータをLCD表示部1032上、ネットワーク200上のPC212,213、もしくは紙媒体に出力したいときに押す。1027はプリンターキーであり、コンピュータ等の外部装置からのプリント出力に関する設定などを行なうときに使用する。
【００８４】
図１１は、操作部140上のパネルにあたるLCD表示部に表示される基本画面である。
【００８５】
1001は拡張機能キーであり、このキーを押すことによって両面複写、多重複写、移動、とじ代の設定、枠消しの設定等のモードに入る。1002は画像モードキーであり、複写画像に対して網掛け、影付け、トリミング、マスキングを行うための設定モードに入る。1003はユーザーモードキーであり、モードメモリの登録、標準モード画面の設定がユーザーごとに行える。1004は応用ズームキーであり、原稿のＸ方向、Ｙ方向を独立に変倍するモード、原稿のサイズと複写サイズから変倍率を計算するズームプログラムのモードに入る。1005、1006、1007はＭ１キー、Ｍ２キー、Ｍ３キーであり、それぞれのモードメモリを呼び出す際に押す。1008はコールキーであり、前回設定されていた複写モードを呼び出す際に押す。1009はオプションキーであり、フィルムから直接複写するためのフィルムプロジェクター等のオプション機能の設定を行う。1010はソーターキーであり、ソート出力、グループ出力等のモード設定を行う。1011は原稿混載キーであり、原稿フィーダーにＡ４サイズとＡ３サイズ、またはＢ５サイズとＢ４サイズの原稿を一緒にセットする際に押す。1012は等倍キーであり、複写倍率を100％にする際に押す。1014、1015はそれぞれ縮小キー、拡大キーであり、定形の縮小、拡大を行う際に押す。1016はズームキーであり、１％刻みで非定形の縮小、拡大を行う際に押す。1013は用紙選択キーであり、複写用紙の選択を行う際に押す。1018、1020は濃度キーであり、1018を押すごとに濃く複写され、1020を押すごとに薄く複写される。1017は濃度表示であり、濃度キーを押すと表示が左右へ変化する。1019はＡＥキーであり、新聞のように地肌の濃い原稿を自動濃度調整複写するときに押す。1021はＨｉＦｉキーであり、写真原稿のように中間調の濃度が多い原稿の複写の際に押す。1022は文字強調キーであり、文字原稿の複写で文字を際立たせたい場合に押下する。
【００８６】
図１２は、画像形成装置220より電子データをバックアップする場合のLCD上の表示例である。画像形成装置220より紙媒体をスキャンし電子データに変換した際に、画像形成装置220内のHDD2004に保存すると共に、バックアップを行うか否かの選択、設定場面を表示する。
【００８７】
前記LCD上には、電子データをバックアップ先にバックアップする選択がされた場合には、前記電子データがバックアップされたことをユーザーに示す通知を行う。
【００８８】
印刷出力する場合には、LCD上の印刷出力キーを選択し、1029を押すことで印刷出力が実行される。
【００８９】
バックアップが実行されると、画像形成装置220は、画像形成装置221に対して前記電子データを送信し、所定のファイル構成でバックアップが行われる。
【００９０】
＜画像形成装置220、221のバックアップ制御フローの説明＞
画像形成装置220が画像形成装置221に対して前記電子データをバックアップした時のバックアップ処理のフローを図１３に示す。
【００９１】
第１に、ユーザーは、バックアップを行う画像形成装置221の機器番号の登録を行う。その為に、ユーザーは画像形成装置220内の操作部140上のバックアップ先の登録キー1023を選択し、バックアップ先の登録を行う。前記バックアップ先の登録情報は、画像形成装置220のバックアップ機器登録部2100に登録され、バックアップの際には、この登録されたバックアップ機器に電子データが送信される。（S100）
第２に、画像形成装置220は、紙媒体をスキャンして電子データに変換するか、又は、ネットワークLAN2011を介して電子データをHDD 2009に保存する。（S101）
第３に、画像形成装置220は、操作部140上で、前記電子データをバックアップするか否かを表示し、ユーザーに通知する（S102）。
【００９２】
第４に、前記電子データをバックアップすると選択された場合には、画像形成装置220は選択された電子データを画像形成装置221に対して送信する。（S103）
第５に、画像形成装置221は、前記電子データを受信し、画像形成装置221内の記憶媒体内の所定のディレクトリに前記電子データを格納する。この際に同じファイル名の電子データがその所定のディレクトリに存在した場合には、バックアップ元の画像形成装置220が判断できる名前で保存する（S104）。
【００９３】
第６に、画像形成装置220は、前記電子データのバックアップが完了したと判断し、次の紙媒体もしくは、電子データのバックアップ動作に移る（S105）。
【００９４】
第１から第６の処理を繰り返すことで、電子データのバックアップを行う。
【図面の簡単な説明】
【００９５】
【図１】本発明におけるシステムの構成を示す基本図である。
【図２】本発明におけるシステムの構成を示す第２の図である。
【図３】本発明の画像形成装置を含むネットワークシステムを示す図である。
【図４】本発明の画像形成装置の外観を示すである。
【図５】画像形成装置の全体構成を示す断面図である。
【図６】画像形成装置におけるスキャナ、プリンタの構成を示すブロック図である。
【図７】コントローラユニットの構成を示す図である。
【図８】スキャナ画像処理部のブロック図を示す図である。
【図９】プリンタ画像処理部のブロック図を示す図である。
【図１０】操作部を示す図である。
【図１１】LCD表示を示す図である。
【図１２】LCD表示を示す図である。
【図１３】本実施例の制御フローを示す図である。
【図１】
2008054109.tif 000003
【図２】
2008054109.tif 000004
【図３】
2008054109.tif 000005
【図４】
2008054109.tif 000006
【図５】
2008054109.tif 000007
【図６】
2008054109.tif 000008
【図７】
2008054109.tif 000009
【図８】
2008054109.tif 000010
【図９】
2008054109.tif 000011
【図１０】
2008054109.tif 000012
【図１１】
2008054109.tif 000013
【図１２】
2008054109.tif 000014
【図１３】
2008054109.tif 000015